(57)【要約】【課題】  カードレスＥＴＣ車載器が盗難されても、内部記憶媒体に記憶された個人情報が不正に利用されないようにする。【解決手段】  制御部１６は、ＥＴＣアンテナ１２によって受信されたセットアップデータが車両情報のセットアップデータであると判定した場合（Ｓ１０２）、記憶媒体の個人情報を消去するとともに（Ｓ１０４）、セットアップデータに含まれる車両情報を記憶媒体に記憶する（Ｓ１０６）。【選択図】        図３
2006133957.tif 000002
【特許請求の範囲】
【請求項１】
車両を特定するために必要な車両情報とともに料金支払いの個人を特定するために必要な個人情報がセットアップデータとして記憶媒体に記憶され、当該記憶媒体に記憶された前記セットアップデータに基づいて路側に設置された路側アンテナと料金収受のための通信を行うカードレスＥＴＣ車載器であって、
外部から送信される前記セットアップデータを受信する受信手段と、
前記受信手段が受信した前記セットアップデータに含まれる情報を判別する判別手段と、
前記判別手段によって前記セットアップデータに前記車両情報のみが含まれると判定された場合、前記記憶媒体の前記個人情報を消去するとともに、前記受信手段が受信した前記車両情報を前記記憶媒体に記憶する制御手段と、を備えたことを特徴とするカードレスＥＴＣ車載器。
【請求項２】
前記受信手段は、前記路側アンテナから送信される料金収受のためのデータを受信するようになっており、
前記受信手段が受信したデータがセットアップデータであるか前記料金収受のためのデータであるかを判定するデータ判定手段を備え、
前記判別手段は、前記データ判定手段によって前記受信手段が受信したデータがセットアップデータであると判定された場合、前記受信手段が受信した前記セットアップデータに含まれる情報を判別することを特徴とする請求項１に記載のカードレスＥＴＣ車載器。
【請求項３】
前記制御手段は、前記判別手段によって前記セットアップデータに前記個人情報のみが含まれると判別された場合、前記受信手段が受信した前記個人情報を前記記憶媒体に記憶することを特徴とする請求項１または２に記載のカードレスＥＴＣ車載器。
【請求項４】
前記制御手段は、前記判別手段によって前記セットアップデータに前記車両情報と前記個人情報の両方が含まれると判別された場合、前記受信手段が受信した前記車両情報と前記個人情報の両方を前記記憶媒体に上書きすることを特徴とする請求項１または２に記載のカードレスＥＴＣ車載器。
【発明の詳細な説明】
【技術分野】
【０００１】
本発明は、車両側に搭載され、内部記憶媒体に記憶された車両を特定するために必要な車両情報および料金支払いの個人を特定するために必要な個人情報に基づいて路側に設置された路側アンテナと料金収受のための通信を行うカードレスＥＴＣ車載器に関する。
【背景技術】
【０００２】
従来、有料道路の料金所での渋滞緩和等を目的として、料金収受を無線通信により実現する料金収受装置としてのＥＴＣ（Ｅｌｅｃｔｏｒｉｃ  Ｔｏｌｌ  Ｃｏｌｌｅｃｔｉｏｎ）システムが実用化されている。
【０００３】
このＥＴＣシステムは、料金所に設置された路側アンテナと車両に搭載されたＥＴＣ車載器との間で無線通信を行い、無線通信の情報に基づいて車両を特定して通行料金を徴収するようになっている。このため、通行車両は料金所での一時停止が不要になり、キャッシュレスで料金所を通行可能となる。
【０００４】
このようなＥＴＣ車載器は、ＥＴＣ車載器の使用前にセットアップ（初期情報登録作業）によって、機器内部に備えられた内部記憶媒体に、自動車登録番号、車名、型式等の車両情報を記憶させる必要がある。
【０００５】
また、ＥＴＣ車載器を他の車両に付け替えた場合には、その車両のナンバープレート番号（自動車登録番号）等とＥＴＣ車載器から送信されるナンバープレート番号等が含まれる車両情報とが不整合となるため、再セットアップによってＥＴＣ車載器の車両情報を新たに取り付ける車両の車両情報に更新させる必要がある。
【０００６】
なお、セットアップの際に、車両情報の不正インストールや車両情報の改竄ができないように、車載器製造ＩＤに基づいて暗号鍵生成し、この暗号鍵を用いて料金収受に必要な支払者を特定するための情報を暗号化して車載器内部の記憶媒体にインストールするものが提案されている（例えば、特許文献１参照）。
【特許文献１】特開２００１−３３１８２６号公報
【発明の開示】
【発明が解決しようとする課題】
【０００７】
上記したようなＥＴＣ車載器は、ＥＴＣカード挿入口を備え、このＥＴＣカード挿入口に料金支払いの個人を特定するために必要な個人情報（以下、個人情報という）が記憶されたＩＣチップを搭載したＥＴＣカードが挿入されるように構成されている。また、セットアップの際には、セットアップ用のＥＴＣカードを用いて車両情報を内部記憶媒体にインストールするようになっている。
【０００８】
しかし、上記したようなＥＴＣカードを用いて料金収受のための処理を行う構成では、盗難防止のためユーザが車両から離れる際には、ＥＴＣ車載器からＥＴＣカードを抜いて持ち歩く必要がある。
【０００９】
そこで、車両情報とともにＥＴＣカードのＩＣチップに記憶された個人情報をＥＴＣ車載器の内部記憶媒体に記憶させることによってＥＴＣカードを不要とするカードレスタイプのＥＴＣ車載器が考えられる。このようなカードレスＥＴＣ車載器は、ＥＴＣカード挿入口を備える必要がないため、例えば、２輪車のように風雨にさらされる環境で使用されても、ＥＴＣカード挿入口から埃や水分がＥＴＣ車載器の内部に侵入して故障の原因になるといった心配がない。
【００１０】
しかし、このようなカードレスＥＴＣ車載器は、内部記憶媒体に車両情報とともに個人情報が記憶されるため、カードレスＥＴＣ車載器が盗難され、再セットアップによって内部記憶媒体の車両情報のみが他の車両の車両情報に書き換えられてしまうと、盗難されたカードレスＥＴＣ車載器の内部記憶媒体に記憶された個人情報に基づいて特定される銀行口座から不正に通行料金を引き落とすことが可能となってしまう。
【００１１】
したがって、カードレスＥＴＣ車載器が盗難されても、内部記憶媒体に記憶された個人情報が不正に利用されないようにする必要がある。
【００１２】
本発明は上記点に鑑みたもので、カードレスＥＴＣ車載器が盗難されても、内部記憶媒体に記憶された個人情報が不正に利用されないようにすることを目的とする。
【課題を解決するための手段】
【００１３】
上記目的を達成するため、請求項１に記載の発明では、車両を特定するために必要な車両情報とともに料金支払いの個人を特定するために必要な個人情報がセットアップデータとして記憶媒体に記憶され、当該記憶媒体に記憶されたセットアップデータに基づいて路側に設置された路側アンテナと料金収受のための通信を行うカードレスＥＴＣ車載器であって、外部から送信されるセットアップデータを受信する受信手段と、受信手段が受信したセットアップデータに含まれる情報を判別する判別手段と、判別手段によってセットアップデータに車両情報のみが含まれると判定された場合、記憶媒体の個人情報を消去するとともに、受信手段が受信した車両情報を記憶媒体に記憶する制御手段と、を備えたことを特徴としている。
【００１４】
このように、制御手段は、判別手段によってセットアップデータに車両情報のみが含まれると判定された場合、記憶媒体の個人情報を消去するとともに、受信手段が受信した車両情報を記憶媒体に記憶するので、カードレスＥＴＣ車載器が盗難されても、内部記憶媒体に記憶された個人情報が不正に利用されないようにすることができる。
【００１５】
また、請求項２に記載の発明のように、路側アンテナから送信される料金収受のためのデータを受信する受信手段によってセットアップデータを受信するため、セットアップデータを受信するための手段を新たに設ける必要がない。
【００１６】
また、請求項３に記載の発明のように、制御手段は、判別手段によってセットアップデータに個人情報のみが含まれると判別された場合、受信手段が受信した個人情報を記憶媒体に記憶させることができる。
【００１７】
また、請求項４に記載の発明では、制御手段は、判別手段によってセットアップデータに車両情報と個人情報の両方が含まれると判別された場合、記憶媒体の個人情報を消去するとともに、受信手段が受信した車両情報と個人情報の両方を記憶媒体に記憶することを特徴としている。
【発明を実施するための最良の形態】
【００１８】
本発明の一実施形態に係るカードレスＥＴＣ車載器のブロック構成を図１に示す。カードレスＥＴＣ車載器１は、ヒューマン・マシン・インタフェース１１、ＥＴＣアンテナ１２、ＥＴＣ無線部１３、ＥＴＣ通信制御部１４、制御部１５、セキュリティモジュール１６、不揮発性メモリ１７および電源部１８の各ブロックを備えている。これらの各ブロック１１〜１８は、同一筐体内に収納されている。
【００１９】
ヒューマン・マシン・インタフェース１１は、表示装置、音声出力装置および入力装置（何れも図示せず）を備えている。表示装置は正常動作を示すＬＥＤおよび異常動作を示すＬＥＤによって構成され、これらの各ＬＥＤは制御部１５からの信号に応じて点灯または消灯する。音声出力装置は、制御部１５からの信号に応じた音声を発生するスピーカによって構成される。入力装置は、ボタン、スイッチ等を備え、これらへのユーザの操作に基づいた信号を制御部１５へ出力する。
【００２０】
ＥＴＣアンテナ１２は、路側等に設置された路側アンテナ（図示せず）と電波の送受信を行う。
【００２１】
ＥＴＣ無線部１３は、ＥＴＣアンテナ１２が受信した信号に対して増幅、周波数変換、復調、Ａ／Ｄ変換等を施し、その結果のデータをＥＴＣ通信制御部１４に出力する。またＥＴＣ無線部１３は、ＥＴＣ通信制御部１４から入力されたデータに対してＤ／Ａ変換、変調、周波数変換、増幅等を施し、その結果の信号をＥＴＣアンテナ１２に出力する。
【００２２】
ＥＴＣ通信制御部１４は、ＥＴＣ無線部１３から入力されたデータを制御部１５に出力し、また、制御部１５から入力されたデータを、ＤＳＲＣの規格に則ったタイミングでＥＴＣ無線部１３に出力する。
【００２３】
制御部１５は、図示しないＣＰＵ、ＲＯＭ、ＲＡＭ、フラッシュメモリを備えている。このＣＰＵは、ＲＯＭまたはフラッシュメモリから読み出したプログラムを実行し、その実行の際にはＲＯＭ、ＲＡＭ、フラッシュメモリから情報を読み出し、ＲＡＭ、フラッシュメモリに対して情報の書き込みを行い、必要に応じて、ヒューマン・マシン・インタフェース１１、ＥＴＣ通信制御部１４およびセキュリティモジュール１６とデータの授受を行う。
【００２４】
セキュリティモジュール１６は、制御部１５から暗号化されたデータが入力されるとそのデータを復号し、復号されたデータに書き込み命令が含まれる場合、復号されたデータを不揮発性メモリ１７に書き込み、また、復号されたデータに読み出し命令が含まれる場合、不揮発性メモリ１７から読み出したデータを暗号化して制御部１５に出力する。
【００２５】
この不揮発性メモリ１７には、自動車登録番号、車名、型式等の車両を特定するために必要な車両情報（以下、車両情報という）およびＥＴＣカード番号、有効期限等に相当する料金支払いの個人を特定するために必要な個人情報がセットアップデータとして記憶される。
【００２６】
また、不揮発性メモリ１７に記憶された車両情報、個人情報は、暗号化されたまま記憶されており、セキュリティモジュール１６を介してのみ情報を取り出すことができるようになっているため、情報の不正読み出しができないようになっている。
【００２７】
電源部１８は、車両のバッテリからアクセサリスイッチを介して供給される電圧を所定の電圧に変換して各ブロック１１〜１７に供給する。
【００２８】
上記した構成において、カードレスＥＴＣ車載器１の制御部１５は、ＥＴＣ通信制御部１４、ＥＴＣ無線部１３およびＥＴＣ用アンテナ１２を介して有料道路の料金所のＥＴＣゲートに配置された路側アンテナと料金収受のためのＥＴＣ通信を行う。
【００２９】
具体的には、車両が有料道路の入口料金所のＥＴＣゲートに配置された路側アンテナの通信エリア内に進入すると、制御部１５には、路側アンテナから、ＥＴＣ用アンテナ１２、ＥＴＣ無線部１３およびＥＴＣ通信制御部１４を介して暗号化された入口情報が入力され、制御部１５は、この入口情報をＲＡＭに記憶させる。
【００３０】
その後、車両が有料道路の出口料金所のＥＴＣゲートに配置された路側アンテナの通信エリア内に進入すると、制御部１５は路側アンテナとＥＴＣ用アンテナ１２、ＥＴＣ無線部１３およびＥＴＣ通信制御部１４を介して暗号化された個人情報、車両情報、入口情報と出口情報などを送受する。
【００３１】
そして、出口料金所に配置された路側アンテナが、これらの入口情報と車両情報を受信すると、この路側アンテナに接続されたＥＴＣ路上機は、路側アンテナが受信した入口情報と車両情報をもとに走行区間および課すべき走行料金を算出する。そして出口のＥＴＣ路上機はこの課金情報をカードレスＥＴＣ車載器１に送信する。制御部１５は、ＥＴＣ用アンテナ１２、ＥＴＣ無線部１３およびＥＴＣ通信制御部１４を介してこの課金情報を受信すると一旦ＲＡＭに記憶させ、通信完了後にセキュリティモジュール１６を介して不揮発性メモリ１６に出口情報などと共に記憶させる。一方、出口のＥＴＣ路上機は、ＥＴＣ車載器１から送られてきた個人情報に基づく口座番号から料金を引き落とす。
【００３２】
このように、カードレスＥＴＣ車載器１の制御部１５は、有料道路の料金所のＥＴＣゲートに配置された路側アンテナと料金収受のためのＥＴＣ通信を行う。
【００３３】
上記した構成において、カードレスＥＴＣ車載器１の使用前に、セットアップ（初期情報登録作業）によって、車両情報および個人情報をセットアップデータとして不揮発性メモリ１７に記憶させる必要がある。また、カードレスＥＴＣ車載器１を他の車両に付け替える場合にも、再セットアップによってＥＴＣ車載器の車両情報を新たに取り付ける車両の車両情報に更新させる必要がある。
【００３４】
このセットアップは、セットアップ用の外部機器からカードレスＥＴＣ車載器１のＥＴＣアンテナ１２へ車両情報のセットアップデータおよび個人情報のセットアップデータを無線送信することによって行われる。なお、これらのセットアップデータの送信は、カードレスＥＴＣ車載器１のＥＴＣアンテナ１２が他のデータを誤って受信しないように、外部空間と電気的に遮蔽するための金属製のケースの中にカードレスＥＴＣ車載器１を設置し、このケースの中で行われる。
【００３５】
また、本実施形態におけるカードレスＥＴＣ車載器１は、図２に示すように、カードレスＥＴＣ車載器１の不揮発性メモリ１７に車両Ａのセットアップデータとして車両情報Ａおよび個人情報Ａが既に記憶されている場合、車両Ｂのセットアップデータを送信して車両情報ＢのみをカードレスＥＴＣ車載器１の不揮発性メモリ１７に再登録すると個人情報Ａが消去され、車両情報のみの再登録はできないようになっている。したがって、再セットアップの際には、車両情報のセットアップを行った後、個人情報のセットアップを行う必要がある。
【００３６】
次に、図３を参照して、制御部１５による無線通信処理について説明する。
【００３７】
最初に、車両情報のセットアップを行うため、カードレスＥＴＣ車載器１を金属製のケースの中に設置する。そして、カードレスＥＴＣ車載器１に電源が供給されると、制御部１５は、所定の初期化処理を行った後、ＥＴＣ通信制御部１４、ＥＴＣ無線部１３およびＥＴＣアンテナ１２を介して外部との無線信号の送受信が可能なスタンバイ状態となり、定期的に図３に示す無線通信処理を行う。
【００３８】
まず、セットアップ用の外部機器からカードレスＥＴＣ車載器１へ車両情報のセットアップデータを暗号化して送信すると、制御部１５には、ＥＴＣ用アンテナ１２、ＥＴＣ無線部１３およびＥＴＣ通信制御部１４を介して車両情報のセットアップデータが入力される。
【００３９】
制御部１５は、ＥＴＣ用アンテナ１２、ＥＴＣ無線部１３およびＥＴＣ通信制御部１４を介して入力される通信データがＥＴＣ通信データであるかセットアップデータであるかを判定する（Ｓ１００）。
【００４０】
ここでは、ＥＴＣ無線部１３およびＥＴＣ通信制御部１４を介して入力される通信データがセットアップデータであると判定し（Ｓ１００でセットアップデータと判定）、セットアップデータが車両情報のセットアップデータであるか個人情報のセットアップデータであるかを判定する（Ｓ１０２）。
【００４１】
ここでは、セットアップデータが車両情報のセットアップデータであると判定し（Ｓ１０２で車両情報と判定）、不揮発性メモリ１７の個人情報を消去する。具体的には、セキュリティモジュール１６を介して不揮発性メモリ１７において個人情報が記憶される領域に特定のデータ（例えば、０）を記憶させる（Ｓ１０４）。
【００４２】
そして、セットアップデータに含まれる車両情報を不揮発性メモリ１７へ書き込み（Ｓ１０６）、本処理を終了する。
【００４３】
次に、セットアップ用の外部機器からカードレスＥＴＣ車載器１へ個人情報のセットアップデータを暗号化して送信すると、制御部１５には、ＥＴＣ用アンテナ１２、ＥＴＣ無線部１３およびＥＴＣ通信制御部１４を介して個人情報のセットアップデータが入力される。
【００４４】
この場合、制御部１５は、Ｓ１００において、ＥＴＣ用アンテナ１２、ＥＴＣ無線部１３およびＥＴＣ通信制御部１４を介して入力される通信データがセットアップデータであると判定し（Ｓ１００でセットアップデータと判定）、Ｓ１０２において、セットアップデータが個人情報のセットアップデータであると判定する（１０２で個人情報と判定）。
【００４５】
そして、セットアップデータに含まれる個人情報を不揮発性メモリ１７へ書き込む。具体的には、制御部１５がセキュリティモジュール１６を介して、セットアップデータに含まれる個人情報を不揮発性メモリ１７に記憶させ（Ｓ１０８）、本処理を終了する。
【００４６】
このように、不揮発性メモリ１７に車両情報、個人情報が記憶される。また、これらの車両情報、個人情報は、暗号化されたまま記憶されており、セキュリティモジュール１６を介してのみ情報を取り出すことができるようになっているため、不揮発性メモリ１７に記憶された情報の不正読み出しを防止することが可能である。
【００４７】
このように、カードレスＥＴＣ車載器１のセットアップが正常に終了した後、このカードレスＥＴＣ車載器１を車両に取り付ける。
【００４８】
ユーザが、この車両のエンジンキーをアクセサリ位置またはオン位置にすると、アクセサリスイッチがオンし、カードレスＥＴＣ車載器１はオンする。そして、カードレスＥＴＣ車載器１は路側アンテナと無線信号の送受信が可能なスタンバイ状態となる。
【００４９】
そして、搭載車両が有料道路のＥＴＣゲートに設置された路側アンテナの通信エリアに進入すると、制御部１５には、路側アンテナから、ＥＴＣ用アンテナ１２、ＥＴＣ無線部１３およびＥＴＣ通信制御部１４を介してＥＴＣ通信データが入力される。
【００５０】
この場合、制御部１５は、Ｓ１００において、ＥＴＣ用アンテナ１２、ＥＴＣ無線部１３およびＥＴＣ通信制御部１４を介して入力される通信データがＥＴＣ通信データであると判定し（Ｓ１００でＥＴＣ通信データと判定）、路側アンテナとの間で、狭域通信（ＤＳＲＣ）システム標準規格（ＡＲＩＢ−ＳＴＤ−Ｔ７５）に準拠したＥＴＣ通信を行い（Ｓ１１０）、図３に示す無線通信処理を終了する。
【００５１】
また、カードレスＥＴＣ車載器１を他の車両に付け替える場合、カードレスＥＴＣ車載器１の再セットアップする必要がある。
【００５２】
この場合、カードレスＥＴＣ車載器１を車両から取り外し、前述したセットアップと同様に、カードレスＥＴＣ車載器１を金属製のケースの中に設置して、セットアップ用の外部機器からカードレスＥＴＣ車載器１へ新たに取り付ける車両に関する車両情報のセットアップデータを送信する。制御部１５は、不揮発性メモリ１７の個人情報を消去するとともにセットアップデータに含まれる車両情報を不揮発性メモリ１７に記憶する。次に、個人情報のセットアップデータを送信すると、制御部１５は、セットアップデータに含まれる個人情報を不揮発性メモリ１７に記憶する。
【００５３】
上記したように、制御部１５は、ＥＴＣ用アンテナ１２、ＥＴＣ無線部１３およびＥＴＣ通信制御部１４を介して外部機器から送信されるセットアップデータを受信し、受信したセットアップデータに車両情報のみが含まれると判定された場合、不揮発性メモリ１７の個人情報を消去するとともに、受信した車両情報を不揮発性メモリ１７に記憶するので、カードレスＥＴＣ車載器１が盗難されても、不揮発性メモリ１７に記憶された個人情報が不正に利用されないようにすることができる。
【００５４】
また、制御部１５は、路側アンテナから送信される料金収受のためのデータを受信するＥＴＣ用アンテナ１２、ＥＴＣ無線部１３およびＥＴＣ通信制御部１４を介してセットアップデータを受信するので、セットアップデータを受信するための手段を新たに設ける必要がない。
【００５５】
また、制御部１５は、セットアップデータに個人情報のみが含まれると判別した場合、受信した個人情報を不揮発性メモリ１７に記憶させることができる。
【００５６】
また、不揮発性メモリ１７に記憶された車両情報、個人情報は、暗号化されたまま記憶されているため、情報を不正に読み出して改ざんする等の悪用を防止することができる。
【００５７】
なお、上記実施形態の構成と特許請求の範囲の構成との対応関係について説明すると、ＥＴＣアンテナ１２、ＥＴＣ無線部１３およびＥＴＣ通信制御部１４が受信手段に相当し、図３のＳ１０２の処理が判別手段に相当し、図３のＳ１０４、Ｓ１０６、Ｓ１０８の処理が制御手段に相当し、セキュリティモジュール１６が暗号手段に相当する。
【００５８】
なお、本発明は上記実施形態に限定されるものではなく、本発明の趣旨に基づいて種々なる形態で実施することができる。
【００５９】
例えば、上記実施形態では、外部機器からカードレスＥＴＣ車載器１に車両情報のセットアップデータと個人情報のセットアップデータを別々に送信する例を示したが、外部機器からカードレスＥＴＣ車載器１に車両情報および個人情報の両方を含むセットアップデータを送信して不揮発性メモリ１７に車両情報および個人情報を記憶させてもよい。この場合、制御部１５は、セットアップデータに車両情報および個人情報の両方が含まれるか否かを判別し、セットアップデータに車両情報および個人情報の両方が含まれると判別した場合、セットアップデータに含まれる車両情報および個人情報を不揮発性メモリ１７に同時に上書きすればよい。このように、セットアップデータに含まれる車両情報および個人情報を不揮発性メモリ１７に同時に上書きすることにより、不揮発性メモリ１７に記憶されていた個人情報を読み出すことができなくなるため、カードレスＥＴＣ車載器が盗難されても、不揮発性メモリ１７に記憶された個人情報が不正に利用されないようにすることができる。
【００６０】
また、上記実施形態におけるカードレスＥＴＣ車載器１は、ＥＴＣアンテナ１２を介してセットアップデータを受信する例を示したが、ＥＴＣアンテナ１２に限定されるものではなく、例えば、ＥＴＣアンテナ１２とは別のアンテナを備え、このアンテナによって外部機器から送信されるセットアップデータを受信してもよい。また、外部機器とケーブル接続するための端子を備え、この端子を介してケーブル接続された外部機器から送信されるセットアップデータを受信してもよい。
【００６１】
また、上記実施形態では、カードレスＥＴＣ車載器１の筐体内にＥＴＣアンテナ１２を設けた例を示したが、ＥＴＣアンテナ１２をカードレスＥＴＣ車載器１の本体と別体で設けた構成としてもよい。
【００６２】
なお、図３に示すフローチャートの各ステップの処理は、それぞれの機能を実現する手段として把握されるものであり、制御部１５としては、上記した実施形態に示すようなソフトウェアによって構成されるものに限らず、ハードウェアにより構成されていてもよい。
【図面の簡単な説明】
【００６３】
【図１】本発明の一実施形態に係るカードレスＥＴＣ車載器のブロック構成を示す図である。
【図２】車両情報のみを再登録する場合の車両情報と個人情報についての説明図である。
【図３】制御部による無線通信処理を示すフローチャートである。
【符号の説明】
【００６４】
１…カードレスＥＴＣ車載器、１１…ヒューマン・マシン・インタフェース、
１２…ＥＴＣアンテナ、１３…ＥＴＣ無線部、１４…ＥＴＣ通信制御部、
１５…制御部、１６…セキュリティモジュール、１７…不揮発性メモリ、
１８…電源部。
【図１】
2006133957.tif 000003
【図２】
2006133957.tif 000004
【図３】
2006133957.tif 000005